(57)【要約】【課題】レンズ同士を直接当接させて位置決めされる組レンズであっても，成形性を良好に保つとともに有効径より外周側に入射した光が撮像素子に到達して有害光となることが防止されたレンズおよび組レンズを提供すること。【解決手段】本発明の組レンズ１は，２以上の光学レンズ１２，１３を組み合わせてなる組レンズ１であって，光学レンズ１２が，有効径部と，有効径部の１面の外周に隣接して位置し，環状の凹凸形状が形成されている環状凹凸部と，環状凹凸部側の面における環状凹凸部より外部に位置し，他のレンズと直接に接する平面部とを有し，その光学レンズ１２と，その光学レンズ１２の平面部に直接に接する光学レンズ１３との間に，リング状の遮光板１６が挟持されているものである。【選択図】            図１
2005309289.tif 000002
【特許請求の範囲】
【請求項１】
有効径部と，
前記有効径部の１面の外周に隣接して位置し，環状の凹凸形状が形成されている環状凹凸部と，
前記環状凹凸部側の面における前記環状凹凸部より外部に位置する平面部とを有することを特徴とするレンズ。
【請求項２】
請求項１に記載するレンズにおいて，
前記環状凹凸部には，少なくとも１組の環状凸部と環状凹部とが設けられていることを特徴とするレンズ。
【請求項３】
２以上のレンズを組み合わせてなる組レンズにおいて，
少なくとも１のレンズが，
有効径部と，
前記有効径部の１面の外周に隣接して位置し，環状の凹凸形状が形成されている環状凹凸部と，
前記環状凹凸部側の面における前記環状凹凸部より外部に位置し，他のレンズと直接に接する平面部とを有し，
そのレンズと，そのレンズの前記平面部に直接に接するレンズとの間に，リング状の遮光部材が挟持されていることを特徴とする組レンズ。
【請求項４】
請求項３に記載する組レンズにおいて，
前記環状凹凸部には，少なくとも１組の環状凸部と環状凹部とが設けられていることを特徴とする組レンズ。
【発明の詳細な説明】
【技術分野】
【０００１】
本発明は，カメラ等に使用されるレンズおよび複数枚のレンズが光軸方向に組み合わせられた組レンズに関する。さらに詳細には，隣接するレンズ同士を部分的に密着させて鏡胴に組み込まれたレンズおよび組レンズに関するものである。
【背景技術】
【０００２】
従来より，２枚以上のレンズを光軸方向に組み合わせて鏡胴に保持し，被写体側の開口部から入射した光をそれらのレンズの後方に配置された撮像素子に導く組レンズがある。このような組レンズでは一般に，有効径外に入射してレンズ面や鏡胴等によって反射・散乱された光が，撮像面に到達することによる有害光（ベイリンググレア：ＶＧ）を防止するための工夫がなされている。このようなＶＧは，画像のコントラストを低下させる原因となるからである。そのために，例えば各レンズ間の有効径の外周部であるコバ部に遮光板が挟み込まれている。例えば，特許文献１に記載の撮像装置では，レンズ同士の間に絞りが配置されて，撮像素子受光面へのＶＧの入射が防止されている。
【０００３】
一方近年では，このような組レンズの小型化・高画素化への対応のため，隣接するレンズ同士の光軸方向間隔の要求精度が高くなっている。このため，レンズ間隔をより正確にするために，例えば，特許文献２に記載の技術では，隣接されるレンズ同士のコバ部を直接当接させて位置決めしている。これによって，光軸方向の隣接するレンズ間隔が正確に位置決めされている。
【特許文献１】特開２００２−１３９６６２号公報（第１図）
【特許文献２】特開２００４−６１６２３号公報（第１図）
【発明の開示】
【発明が解決しようとする課題】
【０００４】
しかしながら，前記した各従来の技術を組み合わせて利用しようとすると，以下のような問題点があった。つまり，隣接するレンズ同士のコバ部において，互いに直接当接させるとともに，遮光板を挟み込むように構成した組レンズであり，例えば図３に示す組レンズ１００のようなものである。この組レンズ１００では，光学レンズ１０１と光学レンズ１３とのコバ部に遮光板１６を挟み込むとともに，さらにその外周側には両レンズ１０１，１３が直接当接された当接部１８が設けられている。この当接部１８では，両側の部材がともに透明であり，光が透過可能となっている。
【０００５】
ここで，この光学レンズ１０１は，樹脂製の透明レンズである。樹脂の成形性の点からは，有効径のすぐ外周側では急激な厚さの変化は望ましくない。特に，有効径のすぐ近くに大きな厚肉部分が形成された場合には，その厚肉部分のヒケによって，有効径内部の寸法精度が低下するおそれがある。そのため，有効径のすぐ外周側では，有効径とほぼ同等な厚さとする必要があるので，平面部１０１ａが設けられている。
【０００６】
そして，この平面部１０１ａは，その表面で光の反射が起きる。さらには，図示したように，有効入射角外の入射光Ｌ１がこの平面部１０１ａで反射されるとともに，光学レンズ１０１の両面で反射を繰り返して内部を進行するおそれがある。そして，このように進行した光は，当接部１８を透過して撮像素子２１の撮像面２１ａまで到達し，ＶＧとなるという問題点があった。
【０００７】
本発明は，前記した従来の組レンズが有する問題点を解決するためになされたものである。すなわちその課題とするところは，レンズ同士を直接当接させて位置決めされる組レンズであっても，成形性を良好に保つとともに有効径より外周側に入射した光が撮像素子に到達して有害光となることが防止されたレンズおよび組レンズを提供することにある。
【課題を解決するための手段】
【０００８】
この課題の解決を目的としてなされた本発明のレンズは，有効径部と，有効径部の１面の外周に隣接して位置し，環状の凹凸形状が形成されている環状凹凸部と，環状凹凸部側の面における環状凹凸部より外部に位置する平面部とを有するものである。
【０００９】
本発明のレンズによれば，有効径部の外周に環状凹凸部が形成されているので，有効径より外周側に入射した光は，必ずこの環状凹凸部を通過する。さらに，この環状凹凸部がレンズの１面のみに形成されているので，レンズの他面と平行となる部分は存在しない。従って，光が平行面の間を反射を繰り返して進行することはない。このことから，さらにその外周に設けられた平面部が他のレンズと直接当接されて，光を透過可能な部分が形成された場合でも，有効径部の外周側に入射した光がそこまで到達することはない。これにより，レンズ同士を直接当接させて位置決めされる組レンズに使用されても，有効径より外周側に入射した光が撮像素子に到達して有害光となることが防止されている。
【００１０】
さらに本発明では，環状凹凸部には，少なくとも１組の環状凸部と環状凹部とが設けられていることが望ましい。
このようなものであれば，有効径部の外周に大きな厚肉部が形成されることはないので，ヒケが防止され，成形性が良好に保たれる。
【００１１】
また，本発明の組レンズは，２以上のレンズを組み合わせてなる組レンズであって，少なくとも１のレンズが，有効径部と，有効径部の１面の外周に隣接して位置し，環状の凹凸形状が形成されている環状凹凸部と，環状凹凸部側の面における環状凹凸部より外部に位置し，他のレンズと直接に接する平面部とを有し，そのレンズと，そのレンズの平面部に直接に接するレンズとの間に，リング状の遮光部材が挟持されているものである。
【００１２】
本発明の組レンズによれば，平面部によって他のレンズと直接接することにより，レンズ間隔が正確に位置決めされる。また，有効径部の外周側に入射した光は，その平面部まで到達することはなく，遮光部材によって遮光されるので，有害光が防止されている。
【００１３】
さらに本発明の組レンズにおいても，環状凹凸部には，少なくとも１組の環状凸部と環状凹部とが設けられていることが望ましい。
【発明の効果】
【００１４】
本発明のレンズおよび組レンズによれば，レンズ同士を直接当接させて位置決めされても，成形性を良好に保つとともに有効径より外周側に入射した光が撮像素子に到達して有害光となることが防止されている。
【発明を実施するための最良の形態】
【００１５】
以下，本発明を具体化した最良の形態について，添付図面を参照しつつ詳細に説明する。本形態は，デジタルカメラ等に用いられる組レンズに本発明を適用したものである。
【００１６】
本形態の組レンズ１は，図１に示すように，４枚の光学レンズ１１，１２，１３，１４を被写体側からこの順序で，鏡胴１５に組み付けたものである。また，光学レンズ１２と光学レンズ１３との間および光学レンズ１３と光学レンズ１４との間には，それぞれのコバ部にリング状の遮光板１６，１７が挟み込まれている。４枚の光学レンズ１１〜１４は，いずれも樹脂製の透明レンズであり，それぞれ鏡胴１５に接着固定されている。また，光学レンズ１２と光学レンズ１３とのコバ部は，遮光板１６より外周側において直接当接されて当接部１８を形成している。この部分は光が透過可能である。
【００１７】
さらに，この組レンズ１は，図中右端に撮像素子２１を保持する素子保持部２２を有し，鏡胴１５と素子保持部２２とが係止枠２３によって適切な距離を保って係止されている。さらに，光学レンズ１４と撮像素子２１との間には，フィルタ２４が配置されている。これらによって，鏡胴１５の開口部から入射した入射光は，撮像素子２１の撮像面２１ａに結像される。ここで，フィルタ２４としては，例えば赤外線吸収フィルタ，ローパスフィルタ，ＮＤフィルタ等またはこれらを組み合わせたものを用いる。
【００１８】
以下では，各レンズ１１〜１４の被写体側の面（図中左側）を前面，撮像素子１６側の面（図中右側）を後面と呼ぶ。例えば，当接部１８は，光学レンズ１２のコバ部の後面と光学レンズ１３のコバ部の前面とが当接された部分である。また，光学レンズ１２のコバ部の前面は，ほぼその全体が鏡胴１５に固定されている。
【００１９】
次に，光学レンズ１２について説明する。この光学レンズ１２の後面は，図２に示すようになっている。すなわち，中央部の有効径部３１の周囲に環状の三角山３２，３２を有し，さらにその外周に平面部３３を有している。また，有効径部３１と内周側の三角山３２との間や，両三角山３２の間，外周側の三角山３２と平面部３３との間にはそれぞれ，三角谷３４が形成されている。
【００２０】
有効径部３１は，この組レンズ１の開口部から入射して撮像面２１ａへと至る，有効な光の通過する範囲である。三角山３２および三角谷３４は，有効径部３１の周囲に光軸を中心とした同心円状に形成されている。２つの三角山３２の頂点は，図１に示すように，光軸に垂直な一つの面内に配置されている。また，光学レンズ１３のコバ部の前面には，図１に示すように，当接部１８より内周側に凸部１３ａが設けられ，遮光板１６は，三角山３２の頂点と光学レンズ１３の凸部１３ａとに挟まれて固定されている。
【００２１】
また，平面部３３は，光学レンズ１３の前面に設けられた同様の平面部と当接されて，図１に示した当接部１８を形成している。さらに，光学レンズ１２の三角谷３４の肉厚は，図１に示すように，有効径部３１とほぼ同等に形成されている。なお，この図では２つの三角山３２，３２が設けられているが，１つでも良いし，さらに多数形成しても良い。この光学レンズ１２が，本発明のレンズに相当している。
【００２２】
以上のように形成されていることから，光学レンズ１２のコバ部には，図３に示した従来の組レンズ１００の光学レンズ１０１にあるような平面部１０１ａに相当する部分が，全周のどこにも存在しない。従って，有効入射角外から入射した入射光Ｌは，光学レンズ１２の前面と後面との間で反射を繰り返すことはなく，当接部１８を透過することはできない。つまり，入射光Ｌは，図１に示したように，凸部１２ａを透過して遮光板１６に吸収されることになる。これにより，図３に示した入射光Ｌ１のようにＶＧとなる入射光はなく，ＶＧが防止されている。
【００２３】
また，光学レンズ１２では，そのコバ部後面に設けられた三角山３２，３２は波形状であって，有効径部３１の外部の肉厚は径方向へ変化している。すなわち，大きく連続された厚肉部分は形成されていない。そして，三角谷３４の肉厚は，有効径部３１とほぼ同等に形成されているので，ヒケが防止され，成形性は良好である。
【００２４】
また，三角山３２の頂点位置が揃えられているので，これらと光学レンズ１３の凸部１３ａとの間で，図１に示したように，遮光板１６を適切に挟持することができる。さらに，光学レンズ１２と光学レンズ１３とは当接部１８によって直接当接されているので，これらのレンズ同士の光軸方向の間隔は正確に位置決めされている。なお，光学レンズ１３の凸部１３ａは，遮光板１６を適切に支えられればよいので必ずしも全周に形成されている必要はない。
【００２５】
以上詳細に説明したように本形態の組レンズ１によれば，光学レンズ１２と光学レンズ１３が当接部１８で直接当接されて位置決めされており，光学レンズ１２のコバ部のうち当接部１８より内周側の後面には，凸部１２ａが形成されている。従って，有効入射角外の入射光が光学レンズ１２のコバ部の前面と後面との間で反射を繰り返して，当接部１８を透過することはない。従って，光学レンズ１２，１３同士を直接当接させて位置決めされても，成形性を良好に保つとともに有効径より外周側に入射した光が撮像素子２１に到達してＶＧとなることが防止されている。
【００２６】
なお，本形態は単なる例示にすぎず，本発明を何ら限定するものではない。したがって本発明は当然に，その要旨を逸脱しない範囲内で種々の改良，変形が可能である。
例えば，本形態では，本発明のレンズを，被写体側から２番目の光学レンズ１２に適用しているが，これに限るものではない。隣接するレンズと直接当接されて位置決めされるものであれば，どの位置のレンズにも適用可能である。
また例えば，本形態では光学レンズ１２の後面に三角山３２が形成されているが，鏡胴１５への取付に支障のない範囲であれば，前面に波形状を形成することでも同様の効果が得られる。
また例えば，上記の形態では，光学レンズ１２に形成される環状の凸部として三角山３２を例示している。これに代えて，頂点がややつぶれた台形山としたり，斜面の断面形状が直線でなく曲線である山とすることもできる。しかし，台形山ではその平面となった頂点部が従来の平面部と同様に好ましくない方向へ光を反射させるおそれがあり，また，断面が曲線の斜面は光を散乱させるため，いずれもやや劣る。従って，この環状凸部としては，三角山３２が最適である。
また例えば，各レンズ１１〜１４の形状や鏡胴１５，係止枠２３の形状等は一つの例であり，これに限るものではない。
【図面の簡単な説明】
【００２７】
【図１】本形態の組レンズを示す断面図である。
【図２】光学レンズを示す斜視図である。
【図３】従来の組レンズを示す断面図である。
【符号の説明】
【００２８】
１  組レンズ
１２  光学レンズ（レンズ）
１６  遮光板（遮光部材）
３１  有効径部
３２  三角山（環状凹凸部，環状凸部）
３３  平面部
３４  三角谷（環状凹凸部，環状凹部）
【図１】
2005309289.tif 000003
【図２】
2005309289.tif 000004
【図３】
2005309289.tif 000005